(57)【要約】      （修正有）【課題】レバーハンドルとロックセットと一体にでき、使用が容易なダイヤルキーロックの提供。【解決手段】一種のダイヤルキーロック構造であり、特にレバーハンドルとロックセットが一体となっているダイヤルキーロックを指している。当該ダイヤルキーロックはレバーハンドル、室外側ケース、制御ユニット、第一制御ユニット、第二制御ユニット、ラッチユニット、カムユニット、室内側ケース及び室内側レバーハンドルによって構成されている。第一制御ユニット、第二制御ユニットを利用してカムユニットの連動を合わせながら、錠を開け、室外側レバーハンドルで直接に開けることができる。同時に、ロック金具の配列を変更することで新たな暗証番号を設定することができる。また、キーの取り消し操作で間違えて入力された番号をクリアすることもできる。以上の構造によってダイヤルキーロックの使用操作に便利さを与えることができる。【選択図】図２
0003129643.tif 000002
【実用新案登録請求の範囲】
【請求項１】
室外側レバーハンドルユニット、室外側ケース、第一制御ユニット、第二制御ユニット、室内側ケース、室内側レバーハンドル、ラッチユニット及びカムユニットによって構成され、その内、
該室外側レバーハンドルユニットは室外側レバーハンドル、外部軸チューブ、ロック、ねじりバネ及び第一内面ブッシュによって構成され、該室外側ケースに取り付けて固定され、
該室外側ケースはケース上には複数のキー穴と外部軸穴を設け、
該第一制御ユニットは以下のものを含め、
複数のキーはそれぞれのキーはキー穴に取り付けられ、スプリングの弾力によって押し付けられて常に外向けるようになり、各キーにはそれぞれの代表コードがあり、
複数のロック金具は当該ロック金具の両端はそれぞれ第一フック、第二フック、第一引っ掛け口、第二引っ掛け口を設け、第一フックと第二フックとの間には欠け口を設け、
第一固定板はその上には複数の第一スライド挿入口を設け、キーの位置と対応し、ロック金具が挿入できるようになり、
第一スライドはその上には複数の第二スライド挿入口を設け、キーの位置と対応し、スプリングの弾力で押し付けられて第一スライドは常に下向けるようになっているため、その両側はそれぞれ突出し板が設けられ、
第一閉め板はその上には複数の第三スライド挿入口を設け、キーの位置と対応し、ロック金具が挿入できるようになり、第一閉め板には複数の固定穴を設け、対応の数のボルトが締め付けられるようになっているため、第一制御ユニットの組立はこれで完了でき、
当該第二制御ユニットは以下を含め、
第二固定板はその上には複数の第四スライド挿入口を設け、キーの位置と対応し、ロック金具が挿入できるようになり、
基座はその上には複数のスライド挿入口台座を設け、ロック金具が挿入できてスプリングが設置できるようになり、
第二スライドはその上には複数の第五スライド挿入口を設け、キーの位置と対応し、ロック金具が挿入できるようになり、その下方には下方ストッパーが設けられ、
第三スライドはその上には複数の第六スライド挿入口を設け、当該キーの取り付け位置と対応し、ロック金具が挿入できるようになり、当該第六スライドの片側の側面には収納スロットがあるため、スプリングが設置でき、そして、当該第三スライドの両側にはそれぞれ突出し板を設け、スプリングを設置することができ、押し付けられて第三スライドは常に下方に滑るようになり、
第二閉め板はその上には複数の通し穴を設け、当該キーの位置と対応し、しかも複数の固定穴が設けられているため、対応の数のボルトの締め付けができるため、第二制御ユニットの組立はこれで完了でき、
室内側ケースは室外側ケースと対応してドアの内側に取り付けられ、内部軸穴があり、
室内側レバーハンドルユニットは室内側レバーハンドル、内部軸チューブ、ねじりばねと第二内面ブッシュによって構成され、室内側ケースに取り付けられて固定し、
ラッチユニットはラッチ座には軸穴が設けられ、シャフトが突き抜けられ、その片側には固定板を連結し、
カムユニットはカムの片側の側面には突出し部を設け、当該突出し部には軸穴があり、当該突出し部は固定板の軸穴内に嵌められ、当該カムの外部周縁には対称になっているカムがあることを特徴とするダイヤルキーロック。
【請求項２】
当該ロック金具の欠け口の位置は第二フックに近寄っていることを特徴とする請求項１記載のダイヤルキーロック。
【請求項３】
当該スライドの下方には下方ストッパーが設けられていることを特徴とする請求項１記載のダイヤルキーロック。
【請求項４】
当該カムユニット内には少なくともスプリング、内部回転盤が順に配置され、しかも、外部回転盤で閉められ、当該外部回転盤には複数の外部ラチェットを設け、内部回転盤の内部ラチェットと噛み合って連動することを特徴とする請求項１記載のダイヤルキーロック。
【考案の詳細な説明】
【技術分野】
【０００１】
一種のダイヤルキーロックの構造であり、特にレバーハンドルとロックセットとを一体にするダイヤルキーロックを指している。この構造はダイヤルキーロックの使用操作時の便利さを与えることができる。
【背景技術】
【０００２】
図１２が示しているのは、一般のダイヤルキーロック９１がドア９０に取り付けられている表示図である。当該ダイヤルキーロック９１は錠が開いた後に、サムターン９１１の回転でラッチ９１２を縮めさせ、もう一本のレバーハンドルロック９２を開けるのを合わせなければ、ドアは開かない。このレバーハンドルロック９２のラッチ９２１を利用することにより、錠が開いた後にドア９０の開閉及び押出しの操作を制御する。当該ダイヤルキーロック９１の構造については、特許文献１は類似したものである。
【０００３】
【特許文献１】台湾特許公告第２１９０８５号明細書
【考案の開示】
【考案が解決しようとする課題】
【０００４】
前述の従来のダイヤルキーロックは同時にもう一本のレバーハンドルを合わせて使用しなければならにので、取り付けのコストが増加するし、日常にドアの開閉の操作に余計な手順が必要だという不便さについては、よく批判されている。この欠点に鑑み、本考案の目的は、レバーハンドルをロックセットと一体にすることができる一種のダイヤルキーロックを提供し、ダイヤルキーロックの使用操作での便利さを実現することにある。本考案のダイヤルキーロックは室外側レバーハンドルユニット、室外側ケース、第一制御ユニット、第二制御ユニット、ラッチユニット、カムユニット、室内側ケース及び室内側レバーハンドルによって構成されている。第一制御ユニット、第二制御を利用してカムユニットの連動を合わせながら、錠が開いた後には室外側レバーハンドルでドアを直接に開けることができる。また、ロック金具の配列を変更することにより、新たな暗証番号を設定することができる以外にも、キーを取り消す操作で間違えて入力された番号をクリアすることもできるので、ダイヤルキーロックの使用操作での便利さを実現することができる。
【課題を解決するための手段】
【０００５】
請求項１の考案は、室外側レバーハンドルユニット、室外側ケース、第一制御ユニット、第二制御ユニット、室内側ケース、室内側レバーハンドル、ラッチユニット及びカムユニットによって構成され、その内、
該室外側レバーハンドルユニットは室外側レバーハンドル、外部軸チューブ、ロック、ねじりバネ及び第一内面ブッシュによって構成され、該室外側ケースに取り付けて固定され、
該室外側ケースはケース上には複数のキー穴と外部軸穴を設け、
該第一制御ユニットは以下のものを含め、
複数のキーはそれぞれのキーはキー穴に取り付けられ、スプリングの弾力によって押し付けられて常に外向けるようになり、各キーにはそれぞれの代表コードがあり、
複数のロック金具は当該ロック金具の両端はそれぞれ第一フック、第二フック、第一引っ掛け口、第二引っ掛け口を設け、第一フックと第二フックとの間には欠け口を設け、
第一固定板はその上には複数の第一スライド挿入口を設け、キーの位置と対応し、ロック金具が挿入できるようになり、
第一スライドはその上には複数の第二スライド挿入口を設け、キーの位置と対応し、スプリングの弾力で押し付けられて第一スライドは常に下向けるようになっているため、その両側はそれぞれ突出し板が設けられ、
第一閉め板はその上には複数の第三スライド挿入口を設け、キーの位置と対応し、ロック金具が挿入できるようになり、第一閉め板には複数の固定穴を設け、対応の数のボルトが締め付けられるようになっているため、第一制御ユニットの組立はこれで完了でき、
当該第二制御ユニットは以下を含め、
第二固定板はその上には複数の第四スライド挿入口を設け、キーの位置と対応し、ロック金具が挿入できるようになり、
基座はその上には複数のスライド挿入口台座を設け、ロック金具が挿入できてスプリングが設置できるようになり、
第二スライドはその上には複数の第五スライド挿入口を設け、キーの位置と対応し、ロック金具が挿入できるようになり、その下方には下方ストッパーが設けられ、
第三スライドはその上には複数の第六スライド挿入口を設け、当該キーの取り付け位置と対応し、ロック金具が挿入できるようになり、当該第六スライドの片側の側面には収納スロットがあるため、スプリングが設置でき、そして、当該第三スライドの両側にはそれぞれ突出し板を設け、スプリングを設置することができ、押し付けられて第三スライドは常に下方に滑るようになり、
第二閉め板はその上には複数の通し穴を設け、当該キーの位置と対応し、しかも複数の固定穴が設けられているため、対応の数のボルトの締め付けができるため、第二制御ユニットの組立はこれで完了でき、
室内側ケースは室外側ケースと対応してドアの内側に取り付けられ、内部軸穴があり、
室内側レバーハンドルユニットは室内側レバーハンドル、内部軸チューブ、ねじりばねと第二内面ブッシュによって構成され、室内側ケースに取り付けられて固定し、
ラッチユニットはラッチ座には軸穴が設けられ、シャフトが突き抜けられ、その片側には固定板を連結し、
カムユニットはカムの片側の側面には突出し部を設け、当該突出し部には軸穴があり、当該突出し部は固定板の軸穴内に嵌められ、当該カムの外部周縁には対称になっているカムがあることを特徴とするダイヤルキーロックとしている。
請求項２の考案は、当該ロック金具の欠け口の位置は第二フックに近寄っていることを特徴とする請求項１記載のダイヤルキーロックとしている。
請求項３の考案は、当該スライドの下方には下方ストッパーが設けられていることを特徴とする請求項１記載のダイヤルキーロックとしている。
請求項４の考案は、当該カムユニット内には少なくともスプリング、内部回転盤が順に配置され、しかも、外部回転盤で閉められ、当該外部回転盤には複数の外部ラチェットを設け、内部回転盤の内部ラチェットと噛み合って連動することを特徴とする請求項１記載のダイヤルキーロックとしている。
【考案の効果】
【０００６】
本考案は錠を開けた後に室外側レバーハンドルでドアを直接に開けることができると共に、ロック金具の配列変更でコードを設定しなおすことができる。さらにキーをクリアする操作で間違えて入力された番号をクリアすることができる。本考案はダイヤルキーロックの使用操作については際立った改善された効果があるため。
【考案を実施するための最良の形態】
【０００７】
図１が示すのは、本考案の立体図である。図２は本考案の分解立体図である。本考案のダイヤルキーロックＡは室外側レバーハンドル１、室外側ケース２、第一制御ユニット３、第二制御ユニット４、室内側ケース５、室内側レバーハンドル６、ラッチユニット７及びカムユニット８によって構成されている。中では：当該レバーハンドル１は室外側レバーハンドル１１、外部軸チューブ１２、ロック１３、ねじりバネＳ８及び第一内面ブッシュ１４によって構成されている。そして、リングＣ１の留め金で室外側ケース２に取り付けて固定される。
【０００８】
室外側ケース２には複数のキー穴２１と外部軸穴２２がある。
【０００９】
第一制御ユニット３には以下のものが含まれている：複数のキー３１：それぞれのキー３１はキー穴２１に取り付けられ、スプリングＳ１の弾力によって常に外向けるように維持される。各キー３１にはコードが付けられている（コードは０、１、．．．．．．、９及びアルファベットX、Y、Z、Ｃによって構成される）。
【００１０】
複数のロック金具３２（図４を参照）：その両端には第一フック３２１、第二フック３２２、第一引っ掛け口３２５と第二引っ掛け口３２６が設けられている。第一フック３２１と第二フック３２２との間には欠け口３２３がある。この欠け口３２３の位置は第二フック３２２に近づいており、また欠け口３２３の両側にはそれぞれの位置限定ポイント３２４が設置されている。
【００１１】
第一固定板３３はその上には複数の第一スライド挿入口３３１を設け、キー３１の位置と対応しており、ロック金具３２が挿入できるようになっている。
【００１２】
第一スライド３４はその上には複数の第二スライド挿入口３４２を設け、その位置はキー３１の位置と対応しており、ロック金具３２が挿入できるようになっている。両側にはそれぞれの突出し板３４３が設けられ、スプリングＳ２の弾力で押さえて第一スライド３４を常に下向けさせるように維持する。第一スライド３４の下方の周縁には下方ストッパー３４１が設置されている。
【００１３】
第一閉め板３５はその上には複数の第三スライド挿入口３５１を設け、それはキー３１の位置と対応しており、ロック金具３２が挿入できるようになっている。また、第一閉め板３５上には複数の固定穴３５２があり、複数のボルトＢが締め付けられるようになっている。これで第一制御ユニット３の組み立てが完了できる。
【００１４】
第二制御ユニット４には以下のものが含まれている、第二固定板４１はその上には複数の第四スライド挿入穴４１１が設けられ、キー３１の位置と対応しており、ロック金具３２が挿入できるようになっている。
【００１５】
基座４２はその上には複数のスライド挿入口４２１があり、ロック金具３２が挿入できてスプリングＳ４が放置できるようになっている。この基座４２の四つの隅にはそれぞれの収納槽（図示には示されていない）があり、スプリングＳ３の取付ができるようになっている。これで、第一制御ユニット３と第二制御ユニット４の組み立てができた後の取り外しが容易にできる。
【００１６】
第二スライド４３はその上には複数の第五スライド挿入口４３１が設けられ、キー３１の位置と対応しており、ロック金具３２が挿入できるようになっている。その下方には下方ストッパー４３２が設置されている。
【００１７】
第三スライド４４はその上には複数の第六スライド挿入口４４１が設けられ、キーロック３１の位置と対応しており、ロック金具３２が挿入できるようになっている。第六スライド挿入口４４１の側面には収納スロット４４３があり、スプリングＳ６（図６を参照）を設置ことができる。第三スライド４４の両側にはそれぞれの突出し板４４２がありスプリングＳ５を設置し、常に押さえて第三スライド４４を下へ移動させることができる。
【００１８】
第二閉め板４５はその上には複数のボルト穴４５１があり、キー３１の位置と対応している。そして、複数の固定穴４５２があって同じ数のボルトＢが締め付けられることができるため、第二制御ユニット４の組立てがこれで完成できる。
【００１９】
室内側ケース５は室外側ケース２と対応してドアの内側に取り付けられ、内部軸穴５１を有している。
【００２０】
室内側レバーハンドルユニット６は室内側レバーハンドル６１、内部軸チューブ６２、ねじりバネＳ７と第二内部ブッシュ６３によって構成されている。リングＣ２の留め金で室内側ケース５に取り付けて固定されている。
【００２１】
ラッチユニット７はそのラッチ座７１上には軸穴７１１があり、シャフト７２が突き抜けるようになっており、片側は固定板７３に連結している。
【００２２】
カムユニット８は中のカム８１の片側には突出し部８１１を設け、また軸穴８１３を有する。当該突出し部８１１は固定板７３の軸穴７３１内にはまっている。カム８１の外部周縁には対称になっているフランジ８１２があり、内部には少なくともスプリングＳ９、内部回転盤８２が順に配置されている。そして外部回転盤８３によって覆われて閉められている。外部回転盤８３には複数の外部ラチェット８３１があり、内部回転盤８２の内部ラチェット８２１と噛み合って連動している。
【００２３】
前述の部品を組み立てること（図３が示すように）により、本考案の番号設定は主に、ロック金具３２の第一フック３２１、第二フック３２２の挿入方向を変更することにより、ダイヤルキーロックの番号を変えることができる。すなわち、ロック金具３２は二種類の位置設定ができる。それは、開放状態（図４のように）と閉鎖状態（図５のように）である。閉鎖状態のときは、コードを設定するロック金具３２の欠け口３２３が第一スライド３４に引っ掛かってその移動を止めさせ、その下方のストッパー３４１はカムユニット８のカム８１を突き当たるため、回転して連動することができず、室外側レバーハンドル１１も回れないので、錠がかかる状態になる。
【００２４】
使用者が錠を開けたいときに、設定された番号に従って対応するキー３１を押すと、対応するキー３１が押された後、ロック金具３２の第一フック３２１は連動されて後ろに移動して第三スライド４４が対応しているスプリングＳ６（図６が示すように）を引っかかるため、第一スライド３４は引っかかる状態から解放される。このときに、室外側レバーハンドル１１を回せば、カム８１は連動され、そのフランジ８１２は第一スライド３４を上方に押し付けて移動させる（図７、図８が示すように）。しかも、同期にシャフト７２を回転させてラッチ座７１のラッチ７１２を凹ませ（図式では示されていない）、錠を開ける操作はこれで完了する。カム８１は回転するときにもフランジ８１２を連動させて第三スライド４４を押し付けて上方に移動させるため（図９、図１０が示すように）、第一フック３２１の第一引っ掛け口３２５はＳ６の引っ掛かりから放される（図１１を参照）。これで、ロック金具３２はスプリングＳ４の回復弾力によってキー３１を連動させ、同期にＳ１の弾力で元の位置に戻る。
【００２５】
また、使用者が間違えた番号を入力する場合、キー３１の"Ｃ"を標識をしているキーを押せば、クリアできて新たな入力ができる。"Ｃ"コードの稼動により、"Ｃ"のキー３１が対応する第三スライド４４の第六スライド挿入口４４１上にフック先端４４４（図１１が示すように）があるため、使用者が"Ｃ"のキー３１を押すときに、第二フック３２２はフック先端４４４を圧迫して第三スライド４４を上方に移動させる。これで、ほかにスプリングＳ６をひっかかているロック金具３２は放されるため、新たなコードの入力操作ができる。
【図面の簡単な説明】
【００２６】
【図１】本考案の立体外観図である。
【図２】本考案の分解立体表示図である。
【図３】本考案の一部の断面表示図である。
【図４】本考案においてロック金具の設置方法に関する表示図１である。
【図５】考案においてロック金具の設置方法に関する表示図２である。
【図６】本考案の操作表示図１である。
【図７】本考案の操作表示図２である。
【図８】本考案の操作表示図３である。
【図９】本考案の操作表示図４である。
【図１０】本考案の操作表示図５である。
【図１１】本考案の操作表示図６である。
【図１２】従来のダイヤルキーロックの取付表示図である。
【符号の説明】
【００２７】
１  室外側レバーハンドルユニット  
１１  室外側レバーハンドル
１２  外部軸チューブ  
１３  ロック
１４  第一内面ブッシュ  
２  室外側ケース
２１  キー穴  
２２  外軸穴
３  第一制御ユニット  
３１  キー
３２  ロック金具  
３２１  第一フック
３２２  第二フック  
３２３  欠け口
３２４  位置限定ポイント  
３２５  第一引っ掛け口
３２６  第二引っ掛け口  
３３  第一固定板
３３１  第一スライド挿入口  
３４  第一スライド
３４１  下方ストッパー  
３４２  第二スライド挿入口
３４３、４４２  突出し板  
３５  第一閉め板
３５１、４５２  固定穴  
４  第二制御ユニット
４１  第二固定板  
４１１  第四スライド挿入口
４２  基座  
４２１  スライド挿入口台座
４３  スライド  
４３１  第五スライド挿入口
４３２  下方ストッパー  
４４  第三スライド
４４１  第六スライド挿入口  
４４３  収納スロット  
４４４  フック先端
４５  第二閉め板  
４５１  ボルト穴
５  室内側ケース
５１  内部軸穴  
６  室内側レバーハンドルユニット
６１  室内側レバーハンドル  
６２  内部軸チューブ
６３  第二内部ブッシュ  
７  ラッチユニット
７１  ラッチ座  
７１１、８１３  軸穴
７１２  ラッチ  
７２  シャフト
７３  固定板  
７３１  シャフト穴
８  カムユニット  
８１  カム
８１１  突出し部  
８１２  フランジ
８２  内部回転盤
８２１  内部ラチェット  
８３  外部回転盤
８３１  外部ラチェット  
９０  ドア
９１  ダイヤルキーロック  
９１１  サムターン
９１２  ラッチ  
９２  レバーハンドルロック
９２１  ラッチ  
Ａ  ダイヤルキーロック
Ｂ  ボルト  
Ｃ１、Ｃ２  リング
Ｓ１、Ｓ２、Ｓ３、Ｓ４、Ｓ５、Ｓ６、Ｓ９  スプリング
Ｓ７、Ｓ８  ねじりバネ
【図１】
0003129643.tif 000003
【図２】
0003129643.tif 000004
【図３】
0003129643.tif 000005
【図４】
0003129643.tif 000006
【図５】
0003129643.tif 000007
【図６】
0003129643.tif 000008
【図７】
0003129643.tif 000009
【図８】
0003129643.tif 000010
【図９】
0003129643.tif 000011
【図１０】
0003129643.tif 000012
【図１１】
0003129643.tif 000013
【図１２】
0003129643.tif 000014